(57)【要約】【課題】寄付に対するハードルを下げて寄付者による継続的な寄付を可能とすることにより、被寄付者に安定した寄付金額を提供することのできる寄付申込システムを提供すること。【解決手段】本発明の寄付申込システムは、寄付者側装置と、提供者側装置と、を備える寄付申込システムであって、寄付者側装置は、寄付者の操作に基づいて、寄付を行うための複数の方法のうちから１つの方法を選択する寄付方法選択手段を備え、提供者側装置は、複数の方法のうちから提供者によるサービスの提供を受けることを承諾している寄付者によって料金の金額の一部を寄付に使用するための寄付申込が選択された場合に寄付申込を受けつける申込受付手段、寄付申込を選択した寄付者が提供を受けたサービスに基づく料金を算出する料金算出手段、および料金算出手段が算出した料金の金額に応じて、料金の金額の一部を用いて行う寄付の寄付金額を決定する寄付金額決定手段を備える。【選択図】図２
2020113020.tif 000002
【特許請求の範囲】
【請求項１】
寄付者の操作を受けつける寄付者側装置と、所定のサービスを提供する提供者の装置であって前記寄付者側装置と通信ネットワークを介して接続される提供者側装置と、を備える寄付申込システムであって、
前記寄付者側装置は、
前記寄付者の操作に基づいて、寄付を行うための複数の方法のうちから１つの方法を選択する寄付方法選択手段、
を備え、
前記提供者側装置は、
前記複数の方法のうちから、前記提供者による前記サービスの提供を受けることを承諾している前記寄付者によって前記サービスに関する料金の金額の一部を前記寄付に使用するための寄付申込が選択された場合に、前記寄付申込を受けつける申込受付手段、
前記寄付申込を選択した前記寄付者が提供を受けた前記サービスに基づく前記料金を算出する料金算出手段、および
前記料金算出手段が算出した前記料金の金額に応じて、前記料金の金額の一部を用いて行う前記寄付の寄付金額を決定する寄付金額決定手段、
を備える、
寄付申込システム。
【請求項２】
前記寄付金額決定手段は、前記寄付にかかる料率を前記料金に乗じることによって前記寄付金額を決定する、
請求項１に記載の寄付申込システム。
【請求項３】
前記寄付金額決定手段は、前記寄付金額を、前記料金に応じて変動させる、または、前記寄付者の操作に基づいて変動させる、
請求項１または２に記載の寄付申込システム。
【請求項４】
前記寄付者側装置は、
前記寄付者の操作に基づいて、決定された前記寄付金額の一部を次回の前記料金を支払うための金額である繰越金額に設定するための繰越手段、
をさらに備え、
前記料金提示手段は、前記寄付者に次回の前記料金を提示する際に、前記料金算出手段が算出した前記料金から前記繰越金額を差し引いた金額を提示する、
請求項１〜３のいずれか１項に記載の寄付申込システム。
【請求項５】
前記寄付申込システムは、前記寄付を受ける被寄付者の装置であって、前記提供者側装置および前記寄付者側装置と前記通信ネットワークを介して接続される被寄付者側装置をさらに備え、
前記被寄付者側装置は、
前記寄付金額を前記提供者側装置から受信する通信手段、および
前記寄付者の求めに応じて、前記寄付金額の合計金額に関する証明書に関する情報を生成する寄付証明書発行手段、
を備える、
請求項１〜４のいずれか１項に記載の寄付申込システム。
【請求項６】
前記寄付申込システムは、前記寄付を受ける被寄付者の装置であって、前記提供者側装置および前記寄付者側装置と前記通信ネットワークを介して接続される被寄付者側装置をさらに備え、
前記被寄付者側装置は、
前記寄付方法選択手段が前記寄付申込を行った場合に、前記寄付申込が行われた旨の情報を前記寄付者側装置から受信する通信手段、および
前記通信手段を介して、前記寄付申込が行われた旨の情報を前記提供者側装置へ送信するページ移行手段、
を備える、
請求項１〜５のいずれか１項に記載の寄付申込システム。
【請求項７】
所定のサービスを提供する提供者の装置であって、寄付者の操作を受けつける寄付者側装置と通信ネットワークを介して接続される提供者側装置を、
寄付を行うための複数の方法のうちから前記提供者による前記サービスの提供を受けることを承諾している前記寄付者の操作に基づいて前記サービスに関する料金の金額の一部を前記寄付に使用するための寄付申込が選択された場合に、前記寄付申込を受けつける申込受付手段、
前記寄付申込を選択した前記寄付者が提供を受けた前記サービスに基づく前記料金を算出する料金算出手段、および
前記料金算出手段が算出した前記料金の金額に応じて、前記料金の金額の一部を用いて行う前記寄付の寄付金額を決定する寄付金額決定手段、
として機能させる、
コンピュータプログラム。
【発明の詳細な説明】
【技術分野】
【０００１】
本発明は、寄付申込システムに関する。
【背景技術】
【０００２】
従来から、一般の寄付者が、ＮＰＯ法人（非営利活動法人）、あるいは大学など（以下、「ＮＰＯ法人等」という。）に寄付をするための寄付支援システムが知られている（特許文献１参照）。この従来の寄付支援システムによれば、寄付者が寄付支援システムの認証ページにアクセスし、認証後に電子的に寄付処理を行うことができる。また、寄付者は、クレジットカードなどによる支払いで寄付を行うこともできる。
【先行技術文献】
【特許文献】
【０００３】
【特許文献１】特開２０１８−３２１２４号公報
【発明の開示】
【発明が解決しようとする課題】
【０００４】
しかしながら、これらの寄付のほとんどが継続的な寄付ではないため、寄付を受けるＮＰＯ法人等としても、十分な寄付金額を安定して得られるものではなかった。
【０００５】
また、寄付を行うことを考えている人にしてみれば、寄付という行為を単独で行うことにより、自分のお金が寄付した分だけ減ってしまうという意識がある。その結果、これらの人々が寄付を行うこと自体をためらう場合があった。そのため、寄付が景気変動の波に左右されやすくなってしまうという問題があった。
【０００６】
本発明の目的は、寄付に対するハードルを下げて寄付者による継続的な寄付を可能とすることにより、被寄付者に安定した寄付金額を提供することのできる寄付申込システムを提供することである。
【課題を解決するための手段】
【０００７】
第１の発明は、
寄付者の操作を受けつける寄付者側装置と、所定のサービスを提供する提供者の装置であって前記寄付者側装置と通信ネットワークを介して接続される提供者側装置と、を備える寄付申込システムであって、
前記寄付者側装置は、
前記寄付者の操作に基づいて、寄付を行うための複数の方法のうちから１つの方法を選択する寄付方法選択手段、
を備え、
前記提供者側装置は、
前記複数の方法のうちから、前記提供者による前記サービスの提供を受けることを承諾している前記寄付者によって前記サービスに関する料金の金額の一部を前記寄付に使用するための寄付申込が選択された場合に、前記寄付申込を受けつける申込受付手段、
前記寄付申込を選択した前記寄付者が提供を受けた前記サービスに基づく前記料金を算出する料金算出手段、および
前記料金算出手段が算出した前記料金の金額に応じて、前記料金の金額の一部を用いて行う前記寄付の寄付金額を決定する寄付金額決定手段、
を備える、
寄付申込システムである。
【０００８】
また、第１の発明において、
前記寄付金額決定手段は、前記寄付にかかる料率を前記料金に乗じることによって前記寄付金額を決定してもよい。
【０００９】
また、第１の発明において、
前記寄付金額決定手段は、前記寄付金額を、前記料金に応じて変動させる、または、前記寄付者の操作に基づいて変動させてもよい。
【００１０】
また、第１の発明において、
前記寄付者側装置は、
前記寄付者の操作に基づいて、決定された前記寄付金額の一部を次回の前記料金を支払うための金額である繰越金額に設定するための繰越手段、
をさらに備え、
前記料金提示手段は、前記寄付者に次回の前記料金を提示する際に、前記料金算出手段が算出した前記料金から前記繰越金額を差し引いた金額を提示してもよい。
【００１１】
また、第１の発明において、
前記寄付申込システムは、前記寄付を受ける被寄付者の装置であって、前記提供者側装置および前記寄付者側装置と前記通信ネットワークを介して接続される被寄付者側装置をさらに備え、
前記被寄付者側装置は、
前記寄付金額を前記提供者側装置から受信する通信手段、および
前記寄付者の求めに応じて、前記寄付金額の合計金額に関する証明書に関する情報を生成する寄付証明書発行手段、
を備えてもよい。
【００１２】
また、第１の発明において、
前記寄付申込システムは、前記寄付を受ける被寄付者の装置であって、前記提供者側装置および前記寄付者側装置と前記通信ネットワークを介して接続される被寄付者側装置をさらに備え、
前記被寄付者側装置は、
前記寄付方法選択手段が前記寄付申込を行った場合に、前記寄付申込が行われた旨の情報を前記寄付者側装置から受信する通信手段、および
前記通信手段を介して、前記寄付申込が行われた旨の情報を前記提供者側装置へ送信するページ移行手段、
を備えてもよい。
【００１３】
第２の発明は、
所定のサービスを提供する提供者の装置であって、寄付者の操作を受けつける寄付者側装置と通信ネットワークを介して接続される提供者側装置を、
寄付を行うための複数の方法のうちから前記提供者による前記サービスの提供を受けることを承諾している前記寄付者の操作に基づいて前記サービスに関する料金の金額の一部を前記寄付に使用するための寄付申込が選択された場合に、前記寄付申込を受けつける申込受付手段、
前記寄付申込を選択した前記寄付者が提供を受けた前記サービスに基づく前記料金を算出する料金算出手段、および
前記料金算出手段が算出した前記料金の金額に応じて、前記料金の金額の一部を用いて行う前記寄付の寄付金額を決定する寄付金額決定手段、
として機能させるコンピュータプログラムである。
【発明の効果】
【００１４】
本発明によれば、寄付に対するハードルを下げて寄付者による継続的な寄付を可能とすることにより、被寄付者に安定した寄付金額を提供することのできる寄付申込システムを提供することができる。
【図面の簡単な説明】
【００１５】
【図１】本実施形態における、寄付申込システムの概念図である。
【図２】本実施形態における、提供者側装置の機能構成を示す図である。
【図３】本実施形態における、寄付者側装置の機能構成を示す図である。
【図４】本実施形態における、被寄付者側装置の機能構成を示す図である。
【図５】本実施形態における、寄付申込処理の概念図である。
【図６】本実施形態における、寄付金支払方法の選択画面を示す図である。
【図７】本実施形態における、寄付申込処理のフローを示す図である。
【発明を実施するための形態】
【００１６】
［実施形態］
本発明の実施の形態にかかる寄付申込システム１について、図１〜図７を参照して説明する。
【００１７】
＜寄付申込システム１の説明＞
本発明の寄付申込システム１は、図１のとおり、提供者側装置２と寄付者側装置３と被寄付者側装置４とを備える。
【００１８】
提供者側装置２は、寄付者に所定のサービスを提供するサービス提供者が利用する装置であって、寄付者側装置３および被寄付者側装置４と通信ネットワーク５を介して接続される。
【００１９】
寄付者側装置３は、寄付者の操作を受けつける操作部を備え、提供者側装置２および被寄付者側装置４と通信ネットワーク５を介して接続される。
【００２０】
被寄付者側装置４は、被寄付者であるＮＰＯ法人等が利用する装置であって、提供者側装置２および寄付者側装置３と通信ネットワーク５を介して接続される。
【００２１】
なお、所定のサービスとしては、電気の供給、水道の供給、ガスの供給などの公共サービスのほか、提携パートナーの商品販売の代行など様々なサービスが考えられるが、以下では、電気の供給を例として記載する。したがって、本実施形態の料金とは、毎月寄付者にかかる電気料金である。
【００２２】
＜ハードウェア構成＞
以下、図２〜図４を参照して、提供者側装置２の機能構成、寄付者側装置３の機能構成、および被寄付者側装置４の機能構成について説明する。
【００２３】
なお、各寄付者には、それぞれ異なるアカウント（識別情報）が付与される。各寄付者側装置３が通信ネットワーク５を介して提供者側装置２および被寄付者側装置４と通信を行う場合には、その寄付者側装置３から寄付者のアカウントが送信される。
【００２４】
送信されたアカウントは、提供者側装置２あるいは被寄付者側装置４において所定の認証がなされる。これにより、提供者側装置２あるいは被寄付者側装置４と寄付者側装置３との通信が可能となる。
【００２５】
＜提供者側装置２の説明＞
提供者側装置２は、図２のとおり、制御部２０、記憶部２１、および、ネットワークインターフェース２２を備える。
【００２６】
記憶部２１およびネットワークインターフェース２２は、バス２００を介して提供者側装置２の制御部２０に接続される。
【００２７】
制御部２０は、提供者側装置２の動作を制御する。
【００２８】
記憶部２１は、主にＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）およびＲＯＭ（Ｒｅａｄ  Ｏｎｌｙ  Ｍｅｍｏｒｙ）で構成される。
【００２９】
ネットワークインターフェース２２は、提供者側装置２と寄付者側装置３あるいは被寄付者側装置４との間でデータを送受信するために、通信ネットワーク５に接続される。
【００３０】
＜提供者側装置２の制御部２０の機能構成＞
提供者側装置２の制御部２０は、所定のプログラムを実行することにより、認証手段２０１、料金提示手段２０２、申込受付手段２０３、寄付金額決定手段２０４、および通信手段２０５として機能する。これにより、提供者が開設するウェブページが寄付者に提供される。
【００３１】
＜認証手段２０１の説明＞
認証手段２０１は、被寄付者側装置４を介して寄付者側装置３から送信される寄付者のアカウントを用いて、寄付者のアカウントの認証を行う。
【００３２】
＜料金提示手段２０２の説明＞
料金提示手段２０２は、寄付申込を選択した寄付者の電気使用量に基づく料金を算出する。そして、料金提示手段２０２は、後述の通信手段２０５を介してその料金（電気料金）に関する情報を寄付者側装置３へ送信する。これにより、寄付者側装置３の液晶画面３３０にて電気料金が提示される。以下では、当該月の電気料金は１００００円である例を記載する。
【００３３】
＜申込受付手段２０３の説明＞
申込受付手段２０３は、複数の方法のうちから電気料金の一部を寄付するための寄付申込が寄付者の操作に基づいて選択された場合に、寄付申込を受けつける。
【００３４】
また、申込受付手段２０３は、寄付者から寄付申込を受けつけたことを寄付者に提示する。具体的には、申込受付手段２０３は、寄付申込を受けつけた旨の情報を寄付者側装置３へ送信し、その旨が寄付者側装置３の液晶画面３３０にて表示される。
【００３５】
＜寄付金額決定手段２０４の説明＞
寄付金額決定手段２０４は、申込受付手段２０３が寄付申込を受けつけた場合に、毎月の電気料金の金額に応じて、電気料金の一部を用いて行う寄付の寄付金額を決定する。
【００３６】
本実施形態では、当該月の電気料金は１００００円である。そして、その３％が寄付金額となるよう、提供者側装置２においてあらかじめ設定されている。すなわち、本実施形態における寄付金額の料率は３％である。したがって、当該月の電気料金が１００００円の寄付者による当該月の寄付金額は、電気料金１００００円のうちから支払われる３００円である。
【００３７】
また、寄付金額決定手段２０４は、寄付者のアカウントごとに、寄付者の電気料金および寄付金額を累積して記憶部２１に記憶させる。累積された寄付金額に関する情報は、通信手段２０５を介して、後述の被寄付者側装置４へ送信される。
【００３８】
＜通信手段２０５の説明＞
通信手段２０５は、寄付者のアカウントなどを寄付者側装置３から受信する。
【００３９】
また、通信手段２０５は、寄付者のアカウント、寄付者から寄付申込を受けつけたことを示す情報などを被寄付者側装置４から受信する。
【００４０】
また、通信手段２０５は、寄付申込を受けつけた旨の情報、電気料金に関する情報、寄付金額に関する情報などを寄付者側装置３へ送信する。
【００４１】
また、通信手段２０５は、寄付者のアカウントごとに累積された寄付金額に関する情報などを被寄付者側装置４へ送信する。
【００４２】
＜寄付者側装置３の説明＞
寄付者側装置３は、図３のとおり、スマートフォンあるいはタブレット端末などの寄付者側装置である。この寄付者側装置３において、寄付申込がなされる。
【００４３】
また、寄付者側装置３は、提供者側装置２および被寄付者側装置４との間で、インターネットあるいはＬＡＮなどの通信ネットワーク５を介して互いにデータ通信をすることができる。
【００４４】
寄付者側装置３は、制御部３０、記憶部３１、ネットワークインターフェース３２、グラフィック処理部３３、および操作部３４を備える。
【００４５】
記憶部３１、ネットワークインターフェース３２、グラフィック処理部３３、および操作部３４は、バス３００を介して、制御部３０に接続される。
【００４６】
制御部３０は、寄付者側装置３の動作を制御する。
【００４７】
記憶部３１は、主にＨＤＤ、ＲＡＭおよびＲＯＭで構成される。
【００４８】
ネットワークインターフェース３２は、寄付者側装置３と提供者側装置２あるいは被寄付者側装置４との間でデータを送受信するために、通信ネットワーク５に接続される。これにより、寄付者側装置３は、提供者側装置２あるいは被寄付者側装置４との間で、寄付者のアカウント等を送受信することができる。
【００４９】
グラフィック処理部３３は、制御部３０の指示に従って画像および映像を描画する。グラフィック処理部３３にて描画された画像および映像は、液晶画面３３０に表示される。
【００５０】
操作部３４には、寄付者からの操作信号が入力される。本実施形態において操作部３４には、入力位置検出装置であるタッチパッド３４０を介して寄付者からの操作信号が入力される。
【００５１】
＜寄付者側装置３の制御部３０の機能構成＞
寄付者側装置３の制御部３０は、所定のプログラムを実行することで、寄付方法選択手段３０１、発行要求手段３０２、および通信手段３０３として機能する。
【００５２】
＜寄付方法選択手段３０１の説明＞
寄付方法選択手段３０１は、寄付者の操作に基づいて、電気料金を支払うための複数の方法のうちから１つの方法を選択する。
【００５３】
提供者側装置２によって提供されるウェブページには、例えば、図６のとおり、「銀行振込で寄付」、「クレジットカードで寄付」、および「電気料金の支払いを通して寄付」が表示されている。そして、寄付者は、タッチパッド３４０をタッチすることにより、いずれかの方法による寄付を選択することができる。
【００５４】
＜発行要求手段３０２の説明＞
発行要求手段３０２は、被寄付者側装置４に対して、寄付者の操作に基づいて、これまでにいくらの寄付を行ったかを示す寄付証明書の発行を要求する。この発行要求に関する情報は、通信手段３０３を介して、寄付者のアカウントとともに被寄付者側装置４へ送信される。
【００５５】
＜通信手段３０３の説明＞
通信手段３０３は、寄付者の情報（寄付者のアカウント、および、寄付者の住所など）、発行要求に関する情報などを提供者側装置２および被寄付者側装置４へ送信する。
【００５６】
また、通信手段３０３は、電気料金、寄付金額に関する情報などを提供者側装置２から受信する。
【００５７】
また、通信手段３０３は、寄付証明書に関する情報などを被寄付者側装置４から受信する。
【００５８】
＜被寄付者側装置４の説明＞
被寄付者側装置４は、図４のとおり、制御部４０、記憶部４１、および、ネットワークインターフェース４２を備える。
【００５９】
記憶部４１およびネットワークインターフェース４２は、バス４００を介して提供者側装置４の制御部４０に接続される。
【００６０】
制御部４０は、被寄付者側装置４の動作を制御する。
【００６１】
記憶部４１は、主にＨＤＤ、ＲＡＭおよびＲＯＭで構成される。
【００６２】
ネットワークインターフェース４２は、被寄付者側装置４と提供者側装置２あるいは寄付者側装置３との間でデータを送受信するために、通信ネットワーク５に接続される。
【００６３】
＜被寄付者側装置４の制御部４０の機能構成＞
被寄付者側装置４の制御部４０は、所定のプログラムを実行することにより、認証手段４０１、選択画面提供手段４０２、ページ移行手段４０３、および寄付証明書発行手段４０４、および通信手段４０５として機能する。これにより、被寄付者が開設するウェブページが寄付者に提供される。本実施形態では、被寄付者がＮＰＯ法人等であり、かつ、提供者の代理店としての役目を担う。
【００６４】
＜認証手段４０１の説明＞
認証手段４０１は、寄付者側装置３から送信される寄付者のアカウントを用いて、寄付者のアカウントの認証を行う。
【００６５】
＜選択画面提供手段４０２の説明＞
選択画面提供手段４０２は、寄付を行うための複数の方法のうちから１つの方法を選択するための選択画面を寄付者側装置３へ提供するための情報を生成する。この情報を受信した寄付者側装置３にて、寄付方法を選択するための画面が表示される。
【００６６】
＜ページ移行手段４０３の説明＞
ページ移行手段４０３は、後述の通信手段４０５を介して寄付申込が行われた旨の情報を提供者側装置２へ送信する。具体的には、ページ移行手段４０３は、寄付者が寄付の申込方法を選択するための画面において「電気料金の支払いを通して寄付」を選択した場合に、被寄付者側装置３が提供するウェブページから、提供者側装置２が提供するウェブページへ移行させる。
【００６７】
＜寄付証明書発行手段４０４の説明＞
寄付証明書発行手段４０４は、寄付者からの発行要求を受信したことを契機として、寄付金額の合計金額に関する寄付証明書に関する情報を生成する。この情報は、寄付者側装置３へ送信される。これにより、寄付者は、寄付者ごとに開設されたマイページにおいて、寄付証明書をダウンロードすることができる。
【００６８】
＜通信手段４０５の説明＞
通信手段４０５は、寄付者側装置３から、寄付者のアカウント、発行要求などの情報を受信する。
【００６９】
また、通信手段４０５は、寄付者のアカウントごとに累積された寄付金額に関する情報などを提供者側装置２から受信する。
【００７０】
また、通信手段４０５は、寄付者ごとに開設されたマイページを介して、寄付証明書に関する情報などを寄付者側装置３へ送信する。
【００７１】
＜寄付申込処理の説明＞
以下、図５を参照しつつ、図７のフローチャートを用いて、寄付申込処理について説明する。なお、後述の制御手段および処理手順は一例であり、本発明の実施形態はこれらには限られない。処理手順等は、本発明の要旨を変更しない範囲で適宜設計変更が可能である。
【００７２】
まず、寄付者の操作に基づいて、寄付者側装置３の寄付方法選択手段３０１が寄付の申し込みを行う（ステップＳ１）。具体的には、寄付者は、寄付者が寄付者側装置３から被寄付者側装置４が提供するウェブページにアクセスし、寄付の申し込みを行う。
【００７３】
ついで、被寄付者側装置４の選択画面提供手段４０２が、通信手段４０５を介して、寄付金の支払方法の選択画面に関する情報を寄付者側装置３へ送信する。寄付者側装置３がこの情報を受信して、寄付方法選択手段３０１が寄付の支払方法の選択画面を液晶画面３３０に表示する（ステップＳ２）。これにより、図６のとおり、寄付者側装置３の液晶画面３３０に、「銀行振込で寄付」、「クレジットカードで寄付」、「電気料金の支払いを通して寄付」の仮想操作ボタンが表示される。
【００７４】
ついで、寄付者の操作に基づいて、寄付方法選択手段３０１が、ユーザが「電気料金の支払いを通して寄付」を選択したか否かを判定する（ステップＳ３）。
【００７５】
ユーザが「電気料金の支払いを通して寄付」を選択していないと判定された場合（Ｓ３：ＮＯ）には、本発明の寄付申込処理は終了する。
【００７６】
一方、ユーザが「電気料金の支払いを通して寄付」を選択したと判定された場合（Ｓ３：ＹＥＳ）には、ページ移行手段４０３が、提供者側装置２が提供するウェブページに移行させる。これにより、提供者側装置２の申込受付手段２０３が、寄付申込の受付処理を開始する（ステップＳ４）。このように、被寄付者が、被寄付者側装置４が提供するウェブページから提供者側装置２が提供するウェブページへ移行させて、電気の供給のサービスの誘導を行う。
【００７７】
ついで、提供者が寄付者に対して電気の供給サービスを提供し、月末などの所定のタイミングで、料金提示手段２０２が、寄付者の電気使用量に応じた電気料金を寄付者に提示する（ステップＳ５）。
【００７８】
ついで、寄付者によって電気料金が支払われたことにより、料金提示手段２０２が、電気料金の決済処理を行う（ステップＳ６）。具体的には、料金提示手段２０２が、寄付者のクレジットカードによるカード決済または銀行口座振替の情報を受信して、電気料金の決済を行う。クレジットカードの認証または振替銀行口座登録などの具体的な決済処理は従来から存在する手法で行われる。
【００７９】
ついで、寄付金額決定手段２０４が、決済された電気料金に応じて寄付者ごとに寄付金額を算出する（ステップＳ７）。具体的には、電気料金に寄付の料率を乗じて寄付金額を算出する。その後、提供者によって被寄付者に対して寄付金額が送金される。なお、この際のカード決済手数料または口座振替手数料などは、提供者側によって負担することができる。これにより、被寄付者が受け取る寄付金額が減少することを防ぐことができる。
【００８０】
ついで、寄付金額が入金された旨の情報が被寄付者側装置４に入力され、寄付証明書発行手段４０４が、寄付金額が入金されたことを確認する（ステップＳ８）。この際に、被寄付者側装置４は、提供者側装置２から、寄付者のアカウント、および寄付者ごとに累積された寄付金額に関する情報なども受信する。
【００８１】
ついで、寄付証明書発行手段４０４が、寄付者ごとに累積された寄付金額を記憶部４１に記憶させる（ステップＳ９）。
【００８２】
ついで、発行要求手段２０２が、寄付者の操作に基づいて寄付証明書の発行要求がなされたか否かを判定する（ステップＳ１０）。
【００８３】
寄付証明書の発行要求がなされていないと判定された場合（Ｓ１０：ＮＯ）には、本発明の寄付申込処理は終了する。
【００８４】
一方、寄付証明書の発行要求がなされたと判定された場合（Ｓ１０：ＹＥＳ）には、寄付証明書発行手段４０４が、寄付証明書に関する情報を生成し、通信手段４０５を介してその情報を寄付者側装置３へ送信する。この情報を受信した発行要求手段３０２が、寄付者ごとに開設されたマイページなどから寄付証明書をダウンロードすることで寄付証明書が発行される（ステップＳ１１）。その後、本発明の寄付申込処理は終了する。
以上の手順により、本発明の寄付申込処理が実行される。
【００８５】
以上をまとめると、本実施形態の寄付申込システム１は、
寄付者の操作を受けつける寄付者側装置３と、所定のサービスを提供する提供者の装置であって寄付者側装置３と通信ネットワーク５を介して接続される提供者側装置２と、を備える寄付申込システム１であって、
寄付者側装置３は、
寄付者の操作に基づいて、寄付を行うための複数の方法のうちから１つの方法を選択する寄付方法選択手段３０１、
を備え、
提供者側装置２は、
複数の方法のうちから、提供者によるサービスの提供を受けることを承諾している寄付者によってサービスに関する料金の金額の一部を寄付に使用するための寄付申込が選択された場合に、寄付申込を受けつける申込受付手段２０３、
寄付申込を選択した寄付者が提供を受けたサービスに基づく料金を算出する料金算出手段２０２、および
料金算出手段２０２が算出した料金の金額に応じて、料金の金額の一部を用いて行う寄付金額を決定する寄付金額決定手段２０４、
を備える。
【００８６】
＜発明の効果＞
本実施形態の寄付申込システムによれば、寄付に対するハードルを下げて寄付者による継続的な寄付を可能とすることにより、被寄付者に安定した寄付金額を提供することができる。
【００８７】
具体的には、ＮＰＯ法人等が、電気の供給などのサービスの提供者の代理店として機能することにより、その手数料として継続的な寄付を受けて、その寄付金を活動資金に充てることができる。
【００８８】
また、寄付者は電気料金などの公共料金の支払いをすることにより寄付をすることにもなるため、寄付を単体で行う場合よりも、寄付者の寄付に対する精神的なハードルを下げることができる。そのため、より多くの一般の人々が寄付に参加することができるようになる。また、景気変動の波に左右されることなく、寄付者は寄付を行うことができる。
【００８９】
また、提供者としても、単なる代理店に依頼するよりも寄付とあわせて提供者の代理店として機能する被寄付者に代理を依頼することができるため、サービス供給の契約の促進を図ることができる。
【００９０】
［他の実施形態］
前記実施形態においては、提供者側装置は１つの装置である例が記載されているが、本発明はこれには限られない。例えば、２つ以上の装置が用意されており、それぞれの装置に対して必要なデータが入力あるいは送信されることによって、全体として提供者側装置の機能を果たしてもよい。寄付者側装置および被寄付者側装置についても同様である。
【００９１】
また、前記実施形態においては、毎月の電気料金の３％が寄付金額となるよう、提供者側装置においてあらかじめ料率が設定されている例が記載されているが、本発明はこれには限られない。例えば、寄付申込を選択する際に、寄付者が所定の上限料率以下の料率を自由に設定することができてもよい。
【００９２】
さらにこれとは異なり、電気料金の金額に応じて、寄付金額設定手段が料率を設定することができてもよい。例えば、寄付金額設定手段が、電気料金が３０００円未満までの料率を３％とし、電気料金が３０００円以上５０００円未満までの料率を２．７５％とし、電気料金が５０００円以上の料率を２．５％とすることができてもよい。
【００９３】
また、この際に料率が変わる料金の境目で寄付金額が減ってしまうことを防ぐために寄付金額の補間が行われてもよい。この場合には電気料金が２９９９円の場合には約９０円の寄付金額になるのに対し、３０００円の場合に約８３円と寄付金額が目減りしてしまうことを防ぐことができる。
【００９４】
また、前記実施形態とは異なり、寄付者の操作に基づいて、寄付金額の上限額あるいは上限料率を設定することができてもよい。例えばこの場合には、寄付者は、電気料金が５０００円未満の場合には上限額を１５０円、電気料金が５０００円以上の場合には上限額を３００円と設定することができる。
【００９５】
また、前記実施形態とは異なり、寄付者側装置は、寄付者の操作に基づいて、決定された寄付金額の一部を次回の料金を支払うための金額である繰越金額に設定するための繰越手段をさらに備えていてもよい。この場合には、料金提示手段は、寄付者に次回の料金を提示する際に、料金算出手段が算出した料金から繰越金額を差し引いた金額を提示することができる。具体的には、寄付者は、算出された寄付金額３００円のうち２００円を寄付し、残りの１００円を来月の電気料金の支払いに充てることができてもよい。
【００９６】
また、前記実施形態とは異なり、提供者側装置が寄付者側装置へ電気料金の提示を行う際に、寄付金額設定手段が事前に寄付金額を算出しておいて、料金提示手段が電気料金の提示を行う際に寄付金額もあわせて提示してもよい。
【００９７】
また、前記実施形態においては、寄付者側装置はスマートフォンまたはタブレット端末などの携帯型端末である例が記載されているが、デスクトップコンピュータ、またはラップトップコンピュータなどであってもよい。なお、寄付者側装置がデスクトップコンピュータ、またはラップトップコンピュータである場合には、タッチパッドの代わりに、操作部にキーボードが接続されていてもよい。
【００９８】
さらに、前記とは異なり、寄付者側装置には、タッチパッドあるいはキーボードではなく、寄付者による音声入力を行うことができるようマイクが接続されていてもよい。
【符号の説明】
【００９９】
１  寄付申込システム
２  提供者側装置
２０１  認証手段
２０２  料金提示手段
２０３  申込受付手段
２０４  寄付金額決定手段
２０５  通信手段
３  寄付者側装置
３０１  寄付方法選択手段
３０２  発行要求手段
３０３  通信手段
４  被寄付者側装置
４０１  認証手段
４０２  選択画面提供手段
４０３  ページ移行手段
４０４  寄付証明書発行手段
４０５  通信手段
５  通信ネットワーク
【図１】
2020113020.tif 000003
【図２】
2020113020.tif 000004
【図３】
2020113020.tif 000005
【図４】
2020113020.tif 000006
【図５】
2020113020.tif 000007
【図６】
2020113020.tif 000008
【図７】
2020113020.tif 000009